(57)【要約】【課題】穂先部と穂持部の間で十分な接着強度が得られ、剛性変化を少なくすることが可能な穂先竿杆を有する釣竿を提供する。【解決手段】本発明に係る釣竿は、穂先部と、穂先部の基端側の嵌入部を嵌入して接着固定する穂持部とを備えた穂先竿杆を有している。そして、穂先部の嵌入部には、複数の開口部、複数の溝部、複数の凸部の内、少なくとも１つ以上が形成されていることを特徴とする。【選択図】  図２
2016136927.tif 000002
【特許請求の範囲】
【請求項１】
穂先部と、穂先部の基端側の嵌入部を嵌入して接着固定する穂持部とを備えた穂先竿杆を有する釣竿であって、
前記嵌入部に、複数の開口部、複数の溝部、複数の凸部の内、少なくとも１つ以上を形成したことを特徴とする釣竿。
【請求項２】
前記穂先部は、金属製の中空パイプであり、前記穂持部は、繊維強化樹脂製の管状体であることを特徴とする請求項１に記載の釣竿。
【請求項３】
前記複数の溝部又は凸部は、交差して形成されていることを特徴とする請求項１又は２に記載の釣竿。
【請求項４】
前記開口部のエッジに前記溝部を形成したことを特徴とする請求項１から３のいずれか１項に記載の釣竿。
【請求項５】
前記嵌入部に平坦面を形成したことを特徴とする請求項１から４のいずれか１項に記載の釣竿。
【請求項６】
穂先部と、穂先部の基端側の嵌入部を嵌入して接着固定する穂持部とを備え、
前記嵌入部に、複数の開口部、複数の溝部、複数の凸部の内、少なくとも１つ以上を形成したことを特徴とする穂先竿杆。
【発明の詳細な説明】
【技術分野】
【０００１】
本発明は、釣竿に関し、詳細には、穂先竿杆に特徴を有する釣竿に関する。
【背景技術】
【０００２】
一般的に、釣竿は、軽量化を図るために、強化繊維を特定方向に引き揃え、これに合成樹脂を含浸したいわゆるプリプレグを巻回した管状体で構成されているが、穂先（穂先竿杆）に関しては、強度の向上、及び外観の向上を図るために、例えばニッケル−チタン合金のような金属製の中空パイプや中実材を用いることがある。また、穂先竿杆は、軽量化を図るとともに穂先側をより撓み易くするために、材料の異なる複数の素材を組み合わせて構成する場合がある。例えば、特許文献１には、金属製の中空パイプで穂先部を構成し、これを強化繊維樹脂製の管状体で構成された穂持部に嵌入した穂先竿杆が開示されている。通常、このような穂先竿杆は、穂先部の基端側を穂持部の先端側開口に嵌入し、両者を接着剤によって固定している。
【先行技術文献】
【特許文献】
【０００３】
【特許文献１】特開２０１４−８７３００号
【発明の概要】
【発明が解決しようとする課題】
【０００４】
上記した特許文献１に開示されている穂先竿杆は、穂先部と穂持部の継部の領域では、撓み状態が大きく変化するため、この部分で接着強度が低下してしまい、緩みや離脱が生じる可能性もある。特に、穂先部を金属材料で構成し、穂持部を繊維強化樹脂材料で構成すると、異種材料であるために十分な接着強度が得られない。また、穂先部と穂持部の継部では、厚肉化するため、剛性変化が大きくなってしまい、全体として良好な撓み特性が得られない。
【０００５】
本発明は、上記した問題に着目してなされたものであり、穂先部と穂持部の間で十分な接着強度が得られ、剛性変化を少なくすることが可能な穂先竿杆を有する釣竿を提供することを目的とする。
【課題を解決するための手段】
【０００６】
上記した目的を達成するために、本発明に係る釣竿は、穂先部と、穂先部の基端側の嵌入部を嵌入して接着固定する穂持部とを備えた穂先竿杆を有しており、前記嵌入部に、複数の開口部、複数の溝部、複数の凸部の内、少なくとも１つ以上を形成したことを特徴とする。
【０００７】
上記した構成の釣竿は、穂先竿杆が穂先部と穂持部で構成されており、両者を接着固定する穂先部の嵌入部に、複数の開口部、複数の溝部、複数の凸部の内、少なくとも１つ以上を形成したため、嵌入部に塗布される接着剤は、嵌入部における開口部、溝部、凸部間の隙間に入り込み、これによりアンカー効果が得られて穂先部と穂持部の接着強度が高められる。また、穂先部と穂持部の接着強度が高まることから、合わせ長さを短くすることが可能となり、全体として軽量化を図ることが可能となる。さらに、開口部、溝部、凸部を形成することで、嵌入部を肉抜きしたり、薄肉厚化することができるため、剛性変化が抑えられ、良好な撓み特性となる穂先竿杆が得られる。
【０００８】
また、本発明は、上記した目的を達成するために、複数本の竿杆を継合して構成される釣竿において、穂先竿杆を、穂先部と、穂先部の基端側の嵌入部を嵌入して接着固定する穂持部とで構成し、前記嵌入部に、複数の開口部、複数の溝部、複数の凸部の内、少なくとも１つ以上を形成したことを特徴とする。
【発明の効果】
【０００９】
本発明によれば、穂先部と穂持部の間で十分な接着強度が得られ、剛性変化を少なくすることが可能な穂先竿杆を有する釣竿が得られる。
【図面の簡単な説明】
【００１０】
【図１】本発明の一実施形態に係る釣竿の全体図。
【図２】穂先竿杆の第１の実施形態を示す図であり、穂先部と穂持部の継部領域を示す斜視図。
【図３】図２に示す穂先竿杆の穂先部の嵌入部を示す平面図。
【図４】穂先部と穂持部の接着領域を示す断面図。
【図５】穂先竿杆の穂先部の嵌入部に形成される開口部の変形例を示す図。
【図６】（ａ）〜（ｅ）は、それぞれ穂先竿杆の第２〜第６の実施形態を示す図であり、穂先部に形成される嵌入部の構成を示す図。
【図７】穂先竿杆の第７の実施形態を示す図であり、穂先部に形成される嵌入部の構成を示す図。
【図８】穂先竿杆の第８の実施形態を示す図であり、（ａ）は、穂先部の嵌入部を示す図、（ｂ）は、嵌入部の平面加工する部分を示す図、（ｃ）は、平面加工した状態の嵌入部を示す図。
【発明を実施するための形態】
【００１１】
以下、本発明に係る釣竿の実施形態について添付図面を参照して具体的に説明する。  
図１は本発明に係る釣竿の一例を示した全体図である。本実施形態の釣竿１は、継式釣竿であり、元竿杆１０と、複数の中竿杆１１ａ〜１１ｆと、穂先竿杆１２とが振出式に継ぎ合わされた構成となっている。なお、釣竿１は、リールを装着するリールシートや、釣糸を案内する釣糸ガイド等を装着した外ガイド方式の釣竿であっても良い。また、図に示す釣竿は、並継式や逆並継式の釣竿であっても良い。
【００１２】
前記元竿杆１０、及び中竿杆１１ａ〜１１ｆは、公知のように、エポキシ樹脂、ポリエステル樹脂等の合成樹脂を、炭素繊維等の強化繊維で強化した繊維強化樹脂製の管状体として構成されている。
【００１３】
図２〜図４は、穂先竿杆の第１の実施形態を示しており、図２は、穂先部と穂持部の継部領域を示す斜視図、図３は、図２に示す穂先竿杆の穂先部の嵌入部を示す平面図、そして、図４は、穂先部と穂持部の接着領域を示す断面図である。
【００１４】
穂先竿杆１２は、穂先部１２Ａと、穂先部の基端側の嵌入部１５を嵌入して接着固定する穂持部１２Ｂとを備えている。本実施形態の穂先部１２Ａは、両端が開口する円筒状に形成された金属製の中空パイプ１３で構成されており、穂持部１２Ｂは、繊維強化樹脂製の管状体１４で構成されている。このような構成では、穂先側を重量化することなく、剛性のある穂先竿杆にすることができる。
【００１５】
前記金属製の中空パイプ１３は、例えば、Ｎｉ−Ｔｉ系合金、Ｎｉ−Ｔｉ−Ｆｅ系合金、Ｎｉ−Ｔｉ−Ｃｕ系合金、Ｎｉ−Ｔｉ−Ｃｒ系合金，βチタン合金（β相：体心立方晶）等の材料を用いて円筒状に形成されており、その内面１３ａ及び外面１３ｂは、ストレート状に形成されている。なお、外面１３ｂについては、センタレス研削盤等を用いて、先端に向けて次第に縮径化するようにテーパを形成しても良い。このようにテーパを形成することにより、穂先側を撓み易くすることが可能となる。
【００１６】
また、前記管状体１４は、公知のように、強化繊維（カーボン繊維、ガラス繊維など）を引き揃え、これに合成樹脂を含浸したプリプレグシートを芯金に巻回し、加熱、硬化、脱芯等の工程を経て製造される。
【００１７】
前記金属製の中空パイプ１３の基端側は、基端縁１３ｄから所定の長さ（１０ｍｍ〜５０ｍｍ程度の長さ；合わせ長さＬ）が嵌入部１５となっており、この部分を管状体１４の前端側の開口に嵌入し、接着剤によって接着することで穂先竿杆１２が構成される。
【００１８】
本実施形態では、前記嵌入部１５に、複数の開口部（円形の開口）２０が形成されている。この開口部２０は、前記合せ長さＬの範囲内で周方向に亘って形成されており、この合せ長さＬに接着剤４０を塗布し、穂持部である管状体１４に嵌入することで、穂先部１２Ａと穂持部１２Ｂは継合、固定される。
【００１９】
嵌入部１５に上記したような開口部２０を形成したことにより、図４で示すように、接着剤４０が多数の開口部２０内に入り込み、アンカーとしての機能を発揮し、穂先部１２Ａと穂持部１２Ｂの接着強度が高められる。すなわち、穂先竿杆が大きく撓んでも、界面部分で剥離等がし難くなり、安定した撓み特性が得られるようになる。また、嵌入部１５に多数の開口部を形成することにより、軽量化が図れるとともに、嵌入部における曲げ剛性が低くなってスムーズな撓み特性が得られる。
【００２０】
図５は、嵌入部に形成される開口部の変形例を示す図である。
上記した多数の開口部を形成するに際しては、接着剤４０による接着強度、及び、剛性に関しては、等方性を持たせることが好ましい。例えば、図に示すように、単位ブロックとして、中心に円形の開口部２０ａを形成し、その周囲に６０°間隔で、同一円周上に６つの円形の開口部２０ｂを形成することで六方構造となるように構成している。
このような開口部（単位ブロックの開口部）を周方向に亘って形成することにより、嵌入部における接着強度及び剛性が等方性を保つようになり、良好な接着強度及び撓み特性が得られるようになる。
【００２１】
図６（ａ）〜（ｅ）は、それぞれ穂先竿杆の第２〜第６の実施形態を示す図であり、穂先部に形成される嵌入部の構成を示す図である。
図６（ａ）は、嵌入部１５に、軸長方向に延出する溝部２１を、周方向に亘って所定の間隔をおいて複数形成した構成例を示している。このような構成によれば、回転方向に対する接着強度を高めることが可能となる。図６（ｂ）は、嵌入部１５に、周方向の溝部２２を、軸長方向に亘って所定の間隔をおいて複数形成した構成例を示している。このような構成によれば、軸長方向に対する接着強度を高めることが可能となる。図６（ｃ）は、嵌入部１５に、螺旋状の溝部（軸長方向において複数の溝部を構成する）２３を形成した構成例を示している。このような構成によれば、回転方向及び軸長方向に対する接着強度を高めることが可能となる。
【００２２】
前記した複数の溝部は、互いに交差して形成することで、回転方向及び軸長方向に対する接着強度をより高めることが可能となる。例えば、図６（ｄ）に示すように、螺旋状の溝部２４ａ，２４ｂを互いに交差するように形成しても良いし、図６（ｅ）に示すように、周方向の溝部２５ａ及び軸長方向に延出する溝部２５ｂを互いに交差するように形成しても良い。
【００２３】
なお、図６に示す構成では、それぞれ溝部としたが、これらは凸部によって構成しても良い。このように凸部で構成することにより、凸部以外の領域を薄肉厚化することが可能となる。
【００２４】
図７は、穂先竿杆の第７の実施形態を示す図であり、穂先部に形成される嵌入部の構成を示す図である。
この実施形態では、嵌入部に軸長方向に延出する開口部２６を周方向に亘って所定間隔で複数形成する（左上の図参照）とともに、周方向に亘って矩形で平坦状に窪む（窪んだ平坦面を有する）溝部２７を周方向に亘って所定間隔で複数形成しており（右上の図参照）、この両者の開口部２６と溝部２７を組み合わせて嵌入部１５が構成されている（下図参照）。すなわち、嵌入部では、開口部２６のエッジに溝部２７が位置するようにしており、溝部の領域に開口部が重なって存在するように構成されている。
【００２５】
このような構成によれば、溝部２７の領域に接着剤が溜まり、これが開口部２６に流れ込むことができるため、より効果的に接着強度を高めることが可能となる。
【００２６】
図８は、穂先竿杆の第８の実施形態を示す図であり、穂先部に形成される嵌入部の構成を示す図である。
この実施形態では、図６（ｂ）に示す構成と同様、嵌入部１５に、周方向の溝部２２を、軸長方向に亘って所定の間隔をおいて複数形成しておき（図（ａ）参照）、その後、嵌入部１５の外周面の対向部分を切削（図（ｂ）において、Ｃで示す部分を切削する）ことにより平坦面３０を形成している（図（ｃ）参照）。
【００２７】
このような構成によれば、嵌入部１５に平坦面３０が形成されていることにより、嵌入部において回転が防止されると共に、この部分にも接着層が形成されることから、接着強度をより高めることが可能となる。
【００２８】
上記した実施形態では、嵌入部に塗布される接着剤のアンカー効果を得る構成として、開口部や溝部を例示したが、凸部（凹凸を含む）によって構成しても良く、これらを適宜組み合わせても良い。すなわち、嵌入部には、複数の開口部、複数の溝部、複数の凸部の内、少なくとも１つ以上が形成されていれば良い。また、本実施形態では、穂先部として、金属製の中空パイプを例示したが、穂先部はソリッド体として構成されていても良い。例えば、上記した金属のソリッド体、繊維強化樹脂製のソリッド体、金属製の中空パイプ内にソリッド体を嵌入したもの等によって構成することが可能である。なお、ソリッド体で開口を形成する場合は、貫通孔が形成されることとなる。
【００２９】
以上、本発明の実施形態を説明したが、本発明は、上記した実施形態以外にも、適宜変形することが可能である。例えば、本実施形態の釣竿は、多数本の竿杆を継合する構成となっていたが、上記した特徴の穂先を有する１本竿として構成されていても良い。また、穂先竿杆の断面形状については、断面円形としたが、楕円状にするなど、断面が非円形であっても良い。
【符号の説明】
【００３０】
１  釣竿
１２  穂先竿杆（穂先）
１２Ａ  穂先部
１２Ｂ  穂持部
１５  嵌入部
２０，２０ａ，２０ｂ，２６  開口部
２１，２２，２３，２４ａ，２４ｂ，２５ａ，２５ｂ，２７  溝部
４０  接着剤
【図１】
2016136927.tif 000003
【図２】
2016136927.tif 000004
【図３】
2016136927.tif 000005
【図４】
2016136927.tif 000006
【図５】
2016136927.tif 000007
【図６】
2016136927.tif 000008
【図７】
2016136927.tif 000009
【図８】
2016136927.tif 000010